【事件の表示】
　特願２０１４−１４８２０４「遊技機」拒絶査定不服審判事件〔平成２８年　２月　８日出願公開、特開２０１６−　２２１６２〕について、次のとおり審決する。
【結　論】
　本件審判の請求は、成り立たない。
【理　由】
第１．手続の経緯
　本願は、平成２６年７月１８日になされた出願であって、平成２７年８月２０日付けで拒絶の理由が通知され、これに対して、同年１０月１９日に意見書及び手続補正書が提出され、平成２８年４月２６日付けで最後の拒絶の理由が通知され、これに対して、同年７月７日に意見書及び手続補正書が提出されたが、同年１１月９日付けで前記平成２８年７月７日付け手続補正書による補正が却下されるとともに同日付で拒絶査定がなされ、これに対して、平成２９年２月７日に拒絶査定不服審判の請求がなされ、同時に手続補正がなされたものである。
第２．平成２９年２月７日にされた手続補正についての補正の却下の決定
［補正の却下の決定の結論］
　平成２９年２月７日にされた手続補正（以下、「本件補正」という。）を却下する。
［理由］
１．本件補正について
　本件補正は、特許請求の範囲の補正を含んでおり、本件補正により、平成２７年１０月１９日付けの手続補正書における特許請求の範囲の請求項１における
「少なくとも、遊技盤と、該遊技盤が着脱可能に設けられる枠部材とから成り、
　遊技者が視認可能な位置に配置され、所定条件が成立すると電気的駆動手段により動作する演出用駆動部材を備えた遊技機において、
　前記演出用駆動部材は、
　前記遊技盤の前面側で所定の演出動作を行う複数の盤面駆動部材を備え、
　前記電気的駆動手段は、
　遊技機の電源投入後又は電源復旧後、前記盤面駆動部材を初期動作させると共に、該初期動作を、複数の前記盤面駆動部材それぞれについて実際の動作を開始するタイミングが重複しないようにすること
　を特徴とする遊技機。」
は、審判請求時に提出された手続補正書（平成２９年２月７日付け）における
「少なくとも、遊技盤と、該遊技盤が着脱可能に設けられる枠部材と
、
と
　前記演出用駆動部材は、
　前記遊技盤の前面側で所定の演出動作を行う複数の盤面駆動部材を備え、
　前記電気的駆動手段は、
　遊技機の電源投入後又は電源復旧後、前記盤面駆動部材を初期動作させると共に、該初期動作を、複数の前記盤面駆動部材それぞれについて実際の動作を開始するタイミングが重複しないように
し、
　複数の前記盤面駆動部材が初期動作を完了するまでは、前記盤面駆動部材の演出動作を実行しないこと、
　を特徴とする遊技機。」
に補正された（下線は、補正箇所を明示するために審決にて付した。）
２．補正の目的
　上記補正はおおむね、
（補正事項１）補正前の請求項１における、
「少なくとも、遊技盤と、・・・枠部材とから成り、・・・演出用駆動部材を備えた遊技機」
なる補正前の記載を
「少なくとも、遊技盤と、・・・枠部材
と、
と
に改める補正と、
（補正事項２）補正前の請求項１に係る発明に、
「複数の前記盤面駆動部材が初期動作を完了するまでは、前記盤面駆動部材の演出動作を実行しないこと、」
なる特定事項を加入する補正とからなる。
　前記のうち
（１）補正事項１については、前記補正前の記載について平成２８年４月２６日付け最後の拒絶理由通知における拒絶の理由に記載された、
「「少なくとも、遊技盤と、該遊技盤が着脱可能に設けられる枠部材とから成り、遊技者が視認可能な位置に配置され、所定条件が成立すると電気的駆動手段により動作する演出用駆動部材を備えた遊技機」（請求項１）と記載されているが、「少なくとも、」及び「成り」と記載されていることによって、遊技盤と枠部材とから成る遊技機なのか、遊技盤と枠部材と演出用駆動部材とを備えた遊技機なのか、そのどちらの意味なのかが曖昧になっている」
との指摘事項について、当該曖昧さを解消することを目的として、「遊技盤」「枠部材」「演出用駆動部材」を「と、」により並列的に列挙する形式に改めたものであり、特許法第１７条の２第５項第４号に掲げる明りょうでない記載の釈明を目的とする補正に該当する。
（２）また、前記補正事項２については、補正前の請求項１に係る発明の「電気的駆動手段」の機能について、前記特定事項に係る機能を追加することでさらに限定したものであり、かつ、本件補正前の特許請求の範囲の請求項１に係る発明と本件補正後の特許請求の範囲の請求項１に係る発明との産業上の利用分野及び解決しようとする課題が同一であるので、当該補正事項２は、特許法第１７条の２第５項第２号に掲げる特許請求の範囲の減縮を目的とするものに該当する。
　そして、本件補正は新規事項を追加するものではない。
３．本件補正発明の独立特許要件についての検討
　そこで、本件補正後の特許請求の範囲の請求項１に係る発明は、その請求項１に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。
（１）本件補正発明について
ア．本件補正発明
　本件補正発明は、上記１．の本件補正の概要に示した次のとおりのものである（Ａ〜Ｆは、当審にて分説して付与した。以下「構成Ａ」などという。）
「Ａ　少なくとも、遊技盤と、該遊技盤が着脱可能に設けられる枠部材と、遊技者が視認可能な位置に配置され、所定条件が成立すると電気的駆動手段により動作する演出用駆動部材とを備えた遊技機において、
Ｂ　前記演出用駆動部材は、
　　前記遊技盤の前面側で所定の演出動作を行う複数の盤面駆動部材を備え、
Ｃ　前記電気的駆動手段は、
　遊技機の電源投入後又は電源復旧後、前記盤面駆動部材を初期動作させると共に、
Ｄ　該初期動作を、複数の前記盤面駆動部材それぞれについて実際の動作を開始するタイミングが重複しないようにし、
Ｅ　複数の前記盤面駆動部材が初期動作を完了するまでは、前記盤面駆動部材の演出動作を実行しないこと、
Ｆ　を特徴とする遊技機。」
イ．本件補正発明の認定
　構成Ａ・Ｃに記載される「電気的駆動手段」については、構成Ｃ・Ｄにおいて盤面駆動手段の動作を制御する機能について特定されていることから、該「電気的駆動手段」はそうした（ＣＰＵを備えるような）制御手段を指すようにも解せるが、例えば【０８１７】（符号の説明）において、ＣＰＵを備えた「ランプ制御部４７０」により制御される対象である「盤面ギミック駆動部４９１」や「パトランプモータ４８２」など、役物を駆動するモータなどの駆動源に対して「（電気的駆動手段）」と添え書きされていることから、前記「電気的駆動手段」はモータなどの駆動源を指し、構成Ｃ・Ｄにおける前記機能についての特定事項は、該駆動源が、何らかの制御手段による制御により実現する動作を特定したものと認められる。
（２）刊行物に記載された発明
ア．刊行物１に記載された発明
　原査定の上記最後の拒絶理由において提示された、本願の出願前に頒布された刊行物である特開２０１２−９０６５４号公報（以下「刊行物１」という。）には、図面と共に次の事項が記載されている（下線は当審にて付した。以下同じ。）。
（ア）「【請求項１】
　遊技盤上に配置され、それぞれ駆動部を有して当該駆動部により駆動される複数の可動役物と、
　
前記複数の可動役物の位置検出をおこなう検出手段
　
前記複数の可動役物のうちのいずれかの可動役物の駆動指示があった場合に、前記検出手段による検出結果に基づき、前記駆動指示により指示された駆動対象の可動役物を駆動させるか否かを判定する判定手段と、
　前記判定手段により前記駆動対象の可動役物を駆動させると判定された場合に、前記駆動対象の可動役物の駆動部を制御して、当該可動役物を駆動させる駆動制御手段
　
を備える
ぱちんこ遊技機
【請求項２】
　前記複数の可動役物に対して、駆動させる優先順位を設定する設定手段をさらに備え、
　前記判定手段は、
　前記駆動対象の可動役物とは異なる他の可動役物が進出位置である場合に前記駆動対象の可動役物を駆動させないと判定し、つづいて、前記設定手段により設定された前記駆動対象の可動役物と前記他の可動役物との優先順位の高低により、前記他の可動役物を前記進出位置から退避させるか否かを判定し、
　前記駆動制御手段は、
　前記他の可動役物を退避させると判定された場合に、前記他の可動役物を前記進出位置から退避させて前記駆動対象の可動役物を駆動させ、
　前記他の可動役物を退避させないと判定された場合に、前記他の可動役物の予め定められた駆動が完了して前記進出位置から退避された後で、前記駆動対象の可動役物を駆動させることを特徴とする請求項１に記載のぱちんこ遊技機。
・・・
【請求項４】
　
前記複数の可動役物は、電源供給時に、各々の現在位置から退避位置まで駆動され、
　前記駆動制御手段は、前記優先順位が高く定められた順に前記複数の可動役物を各々の退避位置へ退避させる
（イ）「【００１５】
（実施の形態１）
（ぱちんこ遊技機の基本構成）
　まず、本発明にかかる実施の形態１のぱちんこ遊技機の基本構成について説明する。図１は、本発明にかかる実施の形態１のぱちんこ遊技機の一例を示す説明図である。図１に示すように、本実施の形態１のぱちんこ遊技機１００は、
遊技盤１０１
【００１７】
　
遊技盤１０１の略中央部分には、画像表示部１０４が配置されている
・・・
【００２６】
　
遊技盤１０１の遊技領域１０３の外周部分には、枠部材１１５が設けられている。枠部材１１５は、遊技盤１０１の上下左右の４辺において遊技領域１０３の周囲を囲む形状を有している。
・・・
【００３１】
　
画像表示部１０４の遊技者から見て前面となる位置には、第１可動役物１３０ａと第２可動役物１３０ｂとが配置されている。
ソレノイドやモータなどの駆動部（図２−１符合２００や２３０などを参照）を備えており、この駆動部の駆動によって駆動される
【００３２】
　たとえば、
第１可動役物１３０ａは、第１可動役物１３０ａを用いた演出
時に、画像表示部１０４上方より下方へスライドし、画像表示部１０４の前面に進出する（図２−２参照）。また、第１可動役物１３０ａは、第１役物演出以外のときには、画像表示部１０４上方に設けられた収容スペースに収容される
【００３３】
　また、
第２可動役物１３０ｂは、第２可動役物１３０ｂを用いた演出
時に、画像表示部１０４下方より上方へスライドし、画像表示部１０４の前面に進出する（図２−３参照）。また、第２可動役物１３０ｂは、第２役物演出以外のときには、画像表示部１０４下方に設けられた収容スペースに収容される
（ウ）「【００３９】
　図２−１に示すように、
第１可動役物１３０ａは、第１駆動部２００
を備える。
第１駆動部２００は、駆動モータ２０１と、駆動ギア２０２と、従動ギア２０３とからなる。
・・・
【００４３】
　また、図２−１に示すように、
第２可動役物１３０ｂは、第２駆動部２３０
を備える。
第２駆動部２３０は、駆動モータ２３１と、駆動ギア２３２と、従動ギア２３３とからなる。
（エ）「【０１１８】（実施の形態２）
　つぎに、本発明にかかる実施の形態２について説明する。以下の実施の形態２では、実施の形態１と同一構成については同一符号を付し、その説明を省略する。図９は、本発明の実施の形態２にかかるぱちんこ遊技機の正面図である。図９に示す実施の形態２のぱちんこ遊技機９００は、第１可動役物９１０と、第２可動役物９２０とを備えている。
たとえば、ぱちんこ遊技機９００の電源遮断時に第１可動役物９１０と第２可動役物９２０とが図９で示す位置にされていたとする。
【０１１９】
　
ここで、ぱちんこ遊技機９００へ電源が供給されると、ぱちんこ遊技機９００は予め定められた初期動作をおこなう。この初期動作において、ぱちんこ遊技機９００は、第１可動役物９１０と、第２可動役物９２０とを所定の退避位置（たとえば各々の原点位置）へ復帰させる。
【０１２０】
　このため、ぱちんこ遊技機９００では、第１可動役物９１０よりも第２可動役物９２０の優先順位を高く設定しておく。そして、
初期動作時に、まず、優先順位が高く定められた第２可動役物９２０を矢印Ｃで示す方向へ駆動させて、第２可動役物９２０を退避位置へ退避させる。その後で、優先順位の低く定められた第１可動役物９１０を矢印Ａで示す方向へ駆動させて、第１可動役物９１０を退避位置へ退避させる。
（オ）「【０１２１】
（実施の形態２の可動役物の構成）
　ここで、実施の形態２の可動役物の構成について説明する。図１０−１は、本実施の形態２の可動役物の正面図（その１）である。図１０−２は、本実施の形態２の可動役物の正面図（その２）である。図１０−１および図１０−２には、本実施の形態２の第１可動役物９１０を示している。図１０−１および図１０−２に示すように、
第１可動役物９１０は、第１駆動部１０１０
を備える。
【０１２２】
　
第１駆動部１０１０は、駆動モータ１０１１と、駆動ギア１０１２とからなる。
・・・
【０１２８】
　図１１−１は、本実施の形態２の可動役物の背面図（その１）である。図１１−２は、本実施の形態２の可動役物の背面図（その２）である。図１１−１および図１１−２には、本実施の形態２の第２可動役物９２０を示している。図１１−１および図１１−２に示すように、
本実施の形態２の第２可動役物９２０は、第２駆動部１１１０
を備える。
【０１２９】
　
第２駆動部１１１０は、駆動モータ１１１１と、回転板１１１２と、スライドギア１１１３と、駆動ギア１１１５と、駆動ギア１１１６とからなる。
　上記記載事項（ア）〜（オ）及び刊行物１の図面から、以下の事項が導かれる。
（あ）上記【００２６】には
「遊技盤１０１の遊技領域１０３の外周部分には、枠部材１１５が設けられている」
なる記載があるが、同段落には
「枠部材１１５は、遊技盤１０１の上下左右の４辺において遊技領域１０３の周囲を囲む形状を有している」
とも記載されていること、及び、一般に「枠」とそれに囲まれた部材との関係は、窓枠と窓の関係にもみられるとおり、枠に該部材を取り付けたとも、該部材の周囲に枠を取り付けたとも表現できることから、前記刊行物１の記載における遊技盤と枠部材相互の関係は、「遊技盤１０１の上下左右の４辺において遊技領域１０３の周囲を囲む」枠部材の四角い枠の中に
遊技盤が
設けられ
　また、「遊技盤１０１の略中央部分に」ある「画像表示部１０４」（【００１７】）が遊技者から視認可能であることは、一般的なぱちんこ遊技機についての技術常識からも、図１からも明らかであるから、「第１可動役物１３０ａと第２可動役物１３０ｂ」が「画像表示部１０４の」、「遊技者から見て前面となる位置に」「配置され」る（【００３１】）のであれば、「第１可動役物１３０ａと第２可動役物１３０ｂ」が
遊技者から視認可能な位置に
　そうすると、刊行物１には、　　　　　　　　　　　　　　　　　　　　　　　　　　　　　　　
　「「遊技盤１０１」（【００１５】）と、
　「遊技盤１０１」が設けられる「枠部材１１５」（【００２６】、認定事項１−１）と、
　「遊技者から視認可能な位置」（認定事項１−２）に「配置され」た「第１可動役物１３０ａと第２可動役物１３０ｂ」（【００３１】）からなる「可動役物」（【請求項１】）であって、
「前記役物のうちのいずれかの可動役物の駆動指示があった場合に、」「前記可動役物の位置検出をおこなう」「検出手段による検出結果に基づき、前記駆動指示により指示された駆動対象の可動役物を駆動させるか否かを判定する判定手段」「により前記駆動対象の可動役物を駆動させると判定された場合に、前記駆動対象の可動役物の駆動部を制御」する「駆動制御手段」により（【請求項１】）制御される、
「モーター」からなる「駆動部」「の駆動によって駆動される」（【００３１】）
前記「可動役物」と、「を備えるぱちんこ遊技機」（【請求項１】）」　　　　　　　　　　　　　　　　　
が記載されているといえる。
（い）上記（ア）（イ）（あ）から、刊行物１には、
　「可動役物」（【請求項１】）は、
　「画像表示部１０４の遊技者から見て前面となる位置に」設けられ（【００３１】）、「第１可動役物１３０ａ」または「第２可動役物１３０ｂを用いた演出時に」（【００３２】）「駆動部の駆動によって」（【００３１】）「画像表示部１０４上方」または「下方に設けられた収容スペース」から「画像表示部１０４の前面に進出する」（【００３２】【００３３】）よう「駆動される」（【００３１】、「第１可動役物１３０ａと第２可動役物１３０ｂと」（【００３１】）からなる、
ことが記載されているといえる。
（う）上記（あ）で認定したとおり、【００３１】には、各可動役物はモーターからなる駆動部の駆動により駆動される、すなわち各可動役物はモーターからなる
駆動部が駆動する
　また、上記【００３９】【００４３】【０１２１】〜【０１２２】【０１２８】〜【０１２９】には、第１・第２
各可動役物がそれぞれ、駆動モータなどからなる
駆動部を備える
　また、上記【００３２】には
「第１可動役物１３０ａは、第１可動役物１３０ａを用いた演出・・・時に、画像表示部１０４上方より下方へスライドし、画像表示部１０４の前面に進出する・・・。また、第１可動役物１３０ａは、第１役物演出以外のときには、画像表示部１０４上方に設けられた収容スペースに収容される・・・。」
と記載され、上記【００３３】には、
「第２可動役物１３０ｂは、第２可動役物１３０ｂを用いた演出・・・時に、画像表示部１０４下方より上方へスライドし、画像表示部１０４の前面に進出する・・・。また、第２可動役物１３０ｂは、第２役物演出以外のときには、画像表示部１０４下方に設けられた収容スペースに収容される・・・。」
と記載されていることから、図９に示される第１可動役物９１０と、第２可動役物９２０の状態は、共に前記【００３２】【００３３】にいう「画像表示部の前面に進出」した状態であるといえる。そうすると、上記【０１１８】の、
「たとえば、ぱちんこ遊技機９００の電源遮断時に第１可動役物９１０と第２可動役物９２０とが図９で示す位置にされていたとする。」
とは、
電源遮断時に第１可動役物９１０と第２可動役物９２０とが、
画像表示部の前面に進出したままとなっている場合
　これを受け、続く【０１１９】には、
「ここで、
ぱちんこ遊技機９００へ電源が供給されると、ぱちんこ遊技機９００は予め定められた初期動作をおこなう。この初期動作において、ぱちんこ遊技機９００は、第１可動役物９１０と、第２可動役物９２０とを所定の退避位置
へ復帰させる。
と記載されている。
　以上から、刊行物１には、
「電源遮断時に第１可動役物９１０と第２可動役物９２０とが、画像表示部の前面に進出したままとなっている場合」に、「ぱちんこ遊技機９００へ電源が供給されると、ぱちんこ遊技機９００は予め定められた初期動作をおこなう。この初期動作において、ぱちんこ遊技機９００は、第１可動役物９１０と、第２可動役物９２０とを」、該各可動役物それぞれが備える駆動部が、「所定の退避位置（たとえば各々の原点位置）へ復帰させる。」
ことが記載されているといえる。（以下「認定事項１−３」という。）
　また、【０１１８】の「電源遮断時」は、特に電源遮断の発生要因を限定する記載もないことから、通常のスイッチ等による電源ＯＦＦが行われた場合と、停電などスイッチＯＦＦによらない不測の電源供給停止が生じた場合とを含む、あらゆる電源供給の遮断事象が生じた場合が含まれると解される。
　そうすると、【０１１９】における
「ぱちんこ遊技機９００へ電源が供給される」
には、
電源の供給が電源スイッチのＯＦＦなどにより正常に停止された状態から、電源スイッチ操作等により電源供給が開始された場合、すなわち
電源投入と
停電などにより電源スイッチのＯＦＦなどを経ずに停止していた電源供給が、停電の解消などにより、電源スイッチ操作等を経ずに再開した場合、すなわち
電源復旧
が含まれるといえる。（以下「認定事項１−４」という。）
　そうすると、前記認定事項１−３及び１−４から、刊行物１には、
「（「電源遮断時に第１可動役物９１０と第２可動役物９２０とが、画像表示部の前面に進出したままとなっている場合」に、）「ぱちんこ遊技機９００へ」「電源投入」又は「電源復旧」により電源が供給されると、（ぱちんこ遊技機９００は予め定められた初期動作をおこない、この初期動作において、）「第１可動役物９１０と、第２可動役物９２０とを」、該各可動役物それぞれが備える「モーター」からなる「駆動部」が、「所定の退避位置（たとえば各々の原点位置）へ復帰させる。」」
ことが記載されているといえる。
（え）上記【請求項４】には
「前記複数の可動役物は、電源供給時に、各々の現在位置から退避位置まで駆動され、前記駆動制御手段は、前記優先順位が高く定められた順に前記複数の可動役物を各々の退避位置へ退避させる」
と記載され、上記【０１２０】には、先行する【０１１８】〜【０１１９】の記載から上記（う）で認定したとおりの、可動役物が電源遮断時に画像表示部の前面に進出したままとなっている状態でぱちんこ遊技機に電源が供給された場合の「初期動作」について、
「
初期動作時に
と記載されている。
　この記載から、「初期動作時」の各可動役物の動作機序は、
　１）まず、第２可動役物９２０を駆動
　２）第２可動役物を退避位置へ退避
　３）２）の後で、第１可動役物９１０を駆動
　４）第１可動役物９１０を退避位置へ退避
であり、可動役物が第１・第２各可動役物なる２つからなる場合において、該２つの可動役物は、一方が動き出してから退避位置へ退避、すなわち駆動を完了して停止するのを待って、他方が駆動、すなわち動き出すように制御されているといえ、
両可動役物が駆動、すなわち動き出すタイミングは
ずれるように制御されている
　また、ここで、該各可動役物を
駆動する
駆動部
　よって、刊行物１には、
「駆動部は、初期動作時に、第１・第２各可動役物について、それぞれの動き出すタイミングがずれるように駆動する」
ことが記載されているといえる。
（お）上記ア〜オの記載事項、上記（あ）〜（え）の認定事項から、刊行物１には次の発明（以下「刊行物１発明」という。）が記載されていると認められる（ａ〜ｆは、本件補正発明のＡ〜Ｆに対応させて付与した。）。
「ａ　遊技盤１０１と、
　遊技盤１０１が設けられる枠部材１１５と、
　遊技者から視認可能な位置に配置された、
　第１可動役物１３０ａと第２可動役物１３０ｂからなる可動役物であって、
　前記複数の可動役物のうちのいずれかの可動役物の駆動指示があった場合に、前記可動役物の位置検出をおこなう検出手段による検出結果に基づき、前記駆動指示により指示された駆動対象の可動役物を駆動させるか否かを判定する判定手段により前記駆動対象の可動役物を駆動させると判定されると、
　前記駆動対象の可動役物の駆動部を制御する駆動制御手段により制御される、モーターからなる駆動部の駆動によって駆動される、前記可動役物と、
　を備えたぱちんこ遊技機９００であって、（あ）
ｂ　前記可動役物は、
　画像表示部１０４の遊技者から見て前面となる位置に設けられ、
　第１可動役物１３０ａまたは第２可動役物１３０ｂを用いた演出時に、
　駆動部の駆動によって、画像表示部１０４上方または下方に設けられた収容スペースから画像表示部１０４の前面に進出するよう駆動され、
　第１可動役物１３０ａと第２可動役物１３０ｂとを備え、（い）
ｃ　前記駆動部は、
　ぱちんこ遊技機９００へ電源投入又は電源復旧により電源が供給されると、
　前記第１可動役物９１０と、前記第２可動役物９２０とを所定の退避位置（たとえば各々の原点位置）へ復帰させると共に、（う）
ｄ　前記駆動部は、
　初期動作時に、前記第１・第２各可動役物について、それぞれの動き出すタイミングがずれるように駆動する、（え）
ｆ　ぱちんこ遊技機９００。」
イ．刊行物２に記載された技術事項
　原査定の上記最後の拒絶理由において提示された、本願の出願前に頒布された刊行物である特開２０１３−２５２２４４号公報（以下「刊行物２」という。）には、図面と共に次の事項が記載されている。
（ア）「【００４０】
　図１に示すように、
パチンコ遊技機１は、額縁状に形成されたガラス扉枠２を有する。
ガラス扉枠２の背面には、遊技盤６が着脱可能に取り付けられている。
　上記記載事項（ア）から、以下の技術事項が導かれる。
（あ）「パチンコ遊技機１において、額縁状に形成されたガラス扉枠２に遊技盤６を着脱可能に取り付けること。」
ウ．刊行物３に記載された技術事項
　当審にて新たに発見した、本願の出願前に頒布された刊行物である特開２０１３−４８７５７号公報（以下「刊行物３」という。）には、図面と共に次の事項が記載されている。
（ア）「【技術分野】
【０００１】
　本発明は、遊技状態に応じて駆動可能な駆動体を有する遊技機に関する。
【背景技術】
【０００２】
　従来、
パチンコ遊技機
において
　駆動体を駆動するための駆動源として励磁モータがある。励磁モータは励磁位置を変更更新しながら励磁位置に電流を流すことで駆動し、駆動体を駆動させる。」
（イ）「【００２４】
　さらに本実施例では、前記表示装置１０の上方に駆動体８１が設けられており、遊技状態に応じて駆動可能とされている。
　
前記駆動体８１は、多面体で構成され
・・・
【００２７】
　なお、
前記駆動体は１つに限られず、複数設けてもよい
前記駆動体８１の他に刀の柄の形状をした第２の駆動体９１を設け
表示装置１０の前面側で揺動させ
（ウ）「【００６４】
　以下に遊技機１における制御処理を説明する。前記主制御基板２００の制御回路に設けられる主なフラグとして、本実施例では大当たりフラグ、大当たり終了フラグ、確変フラグ等が挙げられる。これらのフラグは、初期設定時には全てＯＦＦ（＝０）にされる。
・・・
【００６６】
　
ＣＰＵ等の初期設定処理（Ｓ１０）では
電飾や駆動体が正常に動作されるかを確認できるように電飾や駆動体を動作させる初期動作設定を設けてもよい
駆動体を動作させる場合は、他の初期設定が終了しても駆動体の動作が継続している場合もあり、その状態で遊技が開始すると駆動体の初期動作と演出動作が重複してしまうので、遊技が開始しても初期動作が終了するまで駆動体の演出動作のみを禁止する処理を設けるとよい
　そして、メイン処理Ｍは繰り返し行われるが、
ＣＰＵ等の初期設定処理（Ｓ１０）については、電源投入時のみに必要な初期制御手順であり、最初の１巡目のみに実行され
　　上記記載事項（ア）〜（ウ）から、以下の事項が導かれる。
（あ）【００２４】・【００２７】には、「駆動体」が「刀の柄の形状形」や「多面体」を呈し、「揺動する」旨の記載があることから、上記記載事項での「駆動体」はいわゆる可動役物を指すといえる。
　また、該「駆動体」を複数設けることも【００２７】に記載されていることから、【００６６】の
「初期動作設定」で「駆動体を動作させる場合は、他の初期設定が終了しても駆動体の動作が継続している場合もあり、その状態で遊技が開始すると駆動体の初期動作と演出動作が重複してしまうので、遊技が開始しても初期動作が終了するまで駆動体の演出動作のみを禁止する処理を設ける」
ことは、駆動体が複数ある場合について、
「初期動作設定で
複数の駆動体を動作させる場合は、他の初期設定が終了しても該複数の駆動体の動作が継続している場合もあり、その状態で遊技が開始すると前記複数の駆動体の初期動作と演出動作が重複してしまうので、遊技が開始しても前記複数の駆動体が初期動作を終了するまで前記駆動体の演出動作のみを禁止する処理を設ける
ことであるといえる。
　また、【００６６】には
「
ＣＰＵ等の初期設定処理
初期動作設定
電源投入時のみ
最初の１巡目のみに実行され
なる事項が記載されているといえ、これは、
「ＣＰＵ等の初期設定処理」で行われる「初期動作設定」が、「電源投入時のみ」、「最初の１巡目のみ」すなわち電源投入時に一度だけ「実行さ」れる処理であることといえる。（以下「認定事項３−２」という。）
　よって、刊行物３には、
「パチンコ遊技機において」（【０００２】）、電源投入時に一度だけ実行されるＣＰＵ等の初期設定処理における初期動作設定において（認定事項３−２）、「複数の駆動体を動作させる場合は、他の初期設定が終了しても該複数の駆動体の動作が継続している場合もあり、その状態で遊技が開始すると前記複数の駆動体の初期動作と演出動作が重複してしまうので、遊技が開始しても前記複数の駆動体が初期動作を終了するまで前記駆動体の演出動作のみを禁止する処理を設ける」（認定事項３−１）
ことが記載されていると認められる。
（３）対比
　本件補正発明と刊行物１発明とを、分説に従い対比する。（以下、刊行物１発明の各構成については単に「構成ａ」などといい、本件補正発明の各構成は単に「構成Ａ」などということがある。）
ア．刊行物１発明における構成ａの
　「可動役物」
　「前記複数の可動役物のうちのいずれかの可動役物の駆動指示があった場合に、前記複数の可動役物の位置検出をおこなう検出手段による検出結果に基づき、前記駆動指示により指示された駆動対象の可動役物を駆動させるか否かを判定する判定手段により前記駆動対象の可動役物を駆動させると判定されると」
　「モーターからなる駆動部の駆動によって駆動される」
　はそれぞれ、本件補正発明における構成Ａの
　「演出用駆動部材」
　「所定条件が成立すると」
　「電気的駆動手段により動作する」
に相当する。
　したがって、刊行物１発明における構成ａは、本件補正発明における構成Ａのうち
「少なくとも、遊技盤と、該遊技盤が設けられる枠部材と、遊技者が視認可能な位置に配置され、所定条件が成立すると電気的駆動手段により動作する演出用駆動部材とを備えた遊技機において、」
の点で共通する。
イ．刊行物１発明における構成ｂの
　「画像表示部１０４の遊技者から見て前面となる位置」
　「第１可動役物１３０ａまたは第２可動役物１３０ｂを用いた演出時に、駆動部の駆動によって、画像表示部１０４上方または下方に設けられた収容スペースから画像表示部１０４の前面に進出するよう駆動され」ること
　「第１可動役物１３０ａと第２可動役物１３０ｂとを備え」
は、それぞれ本件補正発明の
　「前記遊技盤の前面側」
　「所定の演出動作を行う」こと
　「複数の盤面駆動部材を備え」
に相当する。
　したがって、刊行物１発明における構成ｂは、本件補正発明における構成Ｂに相当する。
ウ．刊行物１発明における構成ｃの
　「ぱちんこ遊技機９００へ電源投入又は電源復旧により電源が供給されると」
　「前記第１可動役物９１０と、前記第２可動役物９２０とを所定の退避位置（たとえば各々の原点位置）へ復帰させる」
はそれぞれ、本件補正発明における構成Ｃの
　「遊技機の電源投入後又は電源復旧後」
　「前記盤面駆動部材を初期動作させる」
に相当する。
　したがって、刊行物１発明における構成ｃは、本件補正発明における構成Ｃに相当する。
エ．刊行物１発明における構成ｄの
　「前記第１・第２各可動役物」
　「動き出すタイミングがずれるように駆動する」
はそれぞれ、本件補正発明における構成Ｄの
　「複数の前記盤面駆動部材」
　「実際の動作を開始するタイミングが重複しないようにし」
に相当する。
　したがって、刊行物１発明における構成ｄは、本件補正発明における構成Ｄに相当する。
　
オ．刊行物１発明における構成ｆが本件補正発明の構成Ｆに相当することは明らかである。
　上記ア．〜オ．によれば、本件補正発明と刊行物１発明とは、
［一致点］
「Ａ　少なくとも、遊技盤と、該遊技盤が設けられる枠部材と、遊技者が視認可能な位置に配置され、所定条件が成立すると電気的駆動手段により動作する演出用駆動部材とを備えた遊技機において、
Ｂ　前記演出用駆動部材は、
　　前記遊技盤の前面側で所定の演出動作を行う複数の盤面駆動部材を備え、
Ｃ　前記電気的駆動手段は、
　遊技機の電源投入後又は電源復旧後、前記盤面駆動部材を初期動作させると共に、
Ｄ　該初期動作を、複数の前記盤面駆動部材それぞれについて実際の動作を開始するタイミングが重複しないようにし（たこと）、
Ｆ　を特徴とする遊技機。」
の点で一致し、次の各点で相違する。
［相違点１］（構成Ａ）
　本件補正発明では、枠部材に遊技盤が着脱可能に設けられるのに対し、刊行物１発明では、着脱可能であるか明らかでない点。
　
［相違点２］（構成Ｅ）
　本件補正発明が備える構成Ｅに対応する構成、すなわち
「複数の前記盤面駆動部材が初期動作を完了するまでは、前記盤面駆動部材の演出動作を実行しないこと、」
を刊行物１発明が備えない点。
（４）当審の判断
　上記各相違点について検討する。
ア．相違点１について
　上記（２）イ．（あ）で認定したとおり、刊行物２には、
「パチンコ遊技機１において、額縁状に形成されたガラス扉枠２に遊技盤６を着脱可能に取り付けること」
が記載されている。ここで、「額縁状に形成されたガラス扉枠２」が構成Ａの「枠部材」に対応することは明らかである。
　また、当該刊行物２を引用するまでもなく、パチンコ遊技機において、遊技盤が枠部材に着脱自在に取り付けられる構造は例示するまでもなく周知のものであるといえる。
　よって、刊行物１発明の構成ａにおいて、遊技盤を枠部材に着脱自在に設けられるようにして相違点１の構成とすることは、刊行物２に記載された技術事項または周知技術に基づいて、当業者が容易に想到し得たものと認められる。
イ．相違点２について
　上記（２）ウ．（あ）で認定したとおり、刊行物３には、
「パチンコ遊技機において、電源投入時に一度だけ実行されるＣＰＵ等の初期設定処理における初期動作設定において複数の駆動体を動作させる場合は、他の初期設定が終了しても該複数の駆動体の動作が継続している場合もあり、その状態で遊技が開始すると前記複数の駆動体の初期動作と演出動作が重複してしまうので、遊技が開始しても前記複数の駆動体のすべての初期動作が終了するまで前記駆動体の演出動作のみを禁止する処理を設ける」こと、
が記載されている。（以下「刊行物３記載事項」という。）
　ここで、刊行物３記載事項の
　「電源投入時」
　「ＣＰＵ等の初期設定処理における初期動作設定において複数の駆動体を動作させる」
　「駆動体の演出動作」
は、それぞれ本件補正発明の
　「遊技機の電源投入後又は電源復旧後」（構成Ｃ）
　「前記盤面駆動部材を初期動作させる」（構成Ｃ）
　「前記盤面駆動部材の演出動作」（構成Ｅ）
に対応する。
　そうすると、前記刊行物３記載事項の
　「遊技が開始しても前記複数の駆動体のすべての初期動作が終了するまで前記複数の駆動体の演出動作のみを禁止する」こと
は、本件補正発明の構成Ｅに対応する構成、すなわち
「複数の前記盤面駆動部材が初期動作を完了するまでは、前記盤面駆動部材の演出動作を実行しないこと」
に対応する。
　そして、刊行物１発明と刊行物３記載事項とは、共に電源投入時に可動役物（駆動体）が初期動作を実行するパチンコ遊技機である点で共通するから、刊行物１発明における前記初期動作に際し、刊行物３に記載された、該初期動作時の演出禁止に関する技術事項を適用することは、当業者が容易に想到し得たことであり、それによる効果も刊行物１発明及び刊行物３記載事項から当業者が予測し得た範囲内のものであり格別のものではない。
ウ．小括
　したがって、上記ア〜イにおいて検討したように、本件補正発明は、刊行物１発明、刊行物３記載事項、刊行物２に記載された技術事項または周知の技術事項に基づいて、当業者が容易に発明をすることができたものであるから、特許法第２９条第２項の規定により、特許出願の際独立して特許を受けることができない。
４．むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
第３．本願発明について
１．本願発明
　本件補正は、上記のとおり却下されたので、本願の請求項１に係る発明（以下、「本願発明」という。）は、平成２７年１０月１９日付けの手続補正書により補正された、上記第２．の１．で示した特許請求の範囲の請求項１に記載されたとおりのものである。　
２．刊行物　
　原査定の拒絶の理由に引用された刊行物１・２の記載事項は、上記第２．の３．（２）ア．・イ．に記載したとおりである。
３．対比・判断　
　本願発明は実質的に、本件補正発明の発明特定事項から、上記構成Ｅにあたる
「複数の前記盤面駆動部材が初期動作を完了するまでは、前記盤面駆動部材の演出動作を実行しないこと、」
なる構成を省いたものである。
　そうすると、この構成を省いた本願発明と刊行物１発明との間の相違点は、上記第２．３．（３）に示した［相違点１］のみである。
　しかし、該［相違点１］については、上記第２．３．（４）ア．にて検討したとおり、刊行物１発明及び刊行物２に記載された事項または周知の技術事項に基づいて当業者が容易に想到し得たことである。
　したがって、本願発明は、刊行物１発明及び刊行物２に記載された事項または周知の技術事項に基づいて当業者が容易に発明をすることができたものであるから、特許法第２９条第２項の規定により、特許出願の際独立して特許を受けることができない。
第４．むすび　
　以上のとおり、本願発明は、刊行物１発明及び刊行物２に記載された事項または周知の技術事項に基づいて当業者が容易に発明をすることができたものであるから、特許法第２９条第２項の規定により、特許出願の際独立して特許を受けることができないものである。　
　したがって、本願は拒絶すべきものである。　
　よって、結論のとおり審決する。